(57)【特許請求の範囲】
【請求項１】
レンズ部と撮像素子とを有するカメラユニットであって、
カメラ筐体内に収納可能であり移動させたときに使用者の指を当てることのできる指当て部材と、
前記指当て部材に当てられた指の指紋を前記レンズ部と前記撮像素子とにより撮影し、その撮影画像に基づいて前記指紋が登録された指紋と同じであるか否かを照合する指紋照合部と、を具備し、
前記指紋照合部で前記指紋が前記登録指紋と同じであるとされたときに制限機能が使用可能となることを特徴とするカメラユニット。
【請求項２】
前記指当て部材を移動させたときに前記レンズ部が連動し前記指当て部材に焦点が合うように構成されていることを特徴とする請求項１に記載のカメラユニット。
【請求項３】
前記指当て部材を移動させたときに前記レンズ部が連動し前記指当て部材側を向くように構成されていることを特徴とする請求項１または２に記載のカメラユニット。
【請求項４】
前記指当て部材の少なくとも指が当たる部分は光透過性板から構成されていることを特徴とする請求項１，２または３に記載のカメラユニット。
【請求項５】
前記指当て部材の指が当たる部分に開口を形成したことを特徴とする請求項１〜４のいずれか１項に記載のカメラユニット。
【請求項６】
前記制限機能が電源機能、カメラ撮影機能または撮影画像再生機能であることを特徴とする請求項１〜５のいずれか１項に記載のカメラユニット。
【請求項７】
撮影画像を表示可能でありその表示向きが上下左右に可変である表示部を更に具備し、前記指当て部材を読み取り対象部の上に置いて前記読み取り対象部の画像を前記表示部に表示する際に前記表示向きを読み取り易いように変えることができるように構成したことを特徴とするた請求項１〜６のいずれか１項に記載のカメラユニット。
【請求項８】
レンズ部と撮像素子と撮影画像を表示可能な表示部とを有するカメラユニットであって、
カメラ筐体内に収納可能であり移動させたときに使用者の指を当てることのできる光透過性の指当て部材と、
前記指当て部材に当てられた指の指紋を照明しながら前記レンズ部と前記撮像素子とにより撮影し、その撮影画像に基づいて前記指紋が登録された指紋と同じであるか否かを照合する指紋照合部と、を具備し、
前記指紋照合部で前記指紋が前記登録指紋と同じであるとされたときに制限機能が使用可能となることを特徴とするカメラユニット。
【請求項９】
前記表示部が移動可能なフロントライト部を有し、
前記指当て部材に当てられた指の指紋を撮影する際に前記フロントライト部を移動させて前記指当て部材を照明するように構成したことを特徴とする請求項８に記載のカメラユニット。
【請求項１０】
前記指当て部材を照明するための発光部と、前記指当て部材に前記発光部からの光を導くライトガイドと、を具備することを特徴とする請求項８または９に記載のカメラユニット。
【請求項１１】
前記表示部の表示向きが上下左右に可変であり、前記指当て部材を読み取り対象部の上に置いて前記読み取り対象部の画像を前記表示部に表示する際に前記表示向きを読み取り易いように変えることができるように構成したことを特徴とするた請求項８，９または１０に記載のカメラユニット。
【請求項１２】
レンズ部と撮像素子とを有しカメラ機能を備える携帯電子機器であって、
筐体内に収納可能であり移動させたときに使用者の指を当てることのできる指当て部材と、
前記指当て部材に当てられた指の指紋を前記レンズ部と前記撮像素子とにより撮影し、その撮影画像に基づいて前記指紋が登録された指紋と同じであるか否かを照合する指紋照合部と、を具備し、
前記指紋照合部で前記指紋が前記登録指紋と同じであるとされたときに制限機能が使用可能となることを特徴とする携帯電子機器。
【請求項１３】
前記指当て部材を移動させたときに前記レンズ部が連動し前記指当て部材に焦点が合うように構成されていることを特徴とする請求項１２に記載の携帯電子機器。
【請求項１４】
前記指当て部材を移動させたときに前記レンズ部が連動し前記指当て部材側を向くように構成されていることを特徴とする請求項１２または１３に記載の携帯電子機器カメラユニット。
【請求項１５】
前記指当て部材の少なくとも指が当たる部分は光透過性板から構成されていることを特徴とする請求項１２，１３または１４に記載の携帯電子機器。
【請求項１６】
前記指当て部材の指が当たる部分に開口を形成したことを特徴とする請求項１２〜１５のいずれか１項に記載の携帯電子機器。
【請求項１７】
前記制限機能が電源機能、カメラ撮影機能、撮影画像再生機能、通信機能、記録情報再生機能または決済機能であることを特徴とする請求項１２〜１６のいずれか１項に記載の携帯電子機器。
【請求項１８】
撮影画像を表示可能でありその表示向きが上下左右に可変である表示部を更に具備し、前記指当て部材を読み取り対象部の上に置いて前記読み取り対象部の画像を前記表示部に表示する際に前記表示向きを読み取り易いように変えることができるように構成したことを特徴とするた請求項１２〜１７のいずれか１項に記載の携帯電子機器。
【請求項１９】
レンズ部と撮像素子と撮影画像を表示可能な表示部とを有しカメラ機能を備える携帯電子機器であって、
筐体内に収納可能であり移動させたときに使用者の指を当てることのできる光透過性の指当て部材と、
前記指当て部材に当てられた指の指紋を照明しながら前記レンズ部と前記撮像素子とにより撮影し、その撮影画像に基づいて前記指紋が登録された指紋と同じであるか否かを照合する指紋照合部と、を具備し、
前記指紋照合部で前記指紋が前記登録指紋と同じであるとされたときに制限機能が使用可能となることを特徴とする携帯電子機器。
【請求項２０】
前記表示部が移動可能なフロントライト部を有し、
前記指当て部材に当てられた指の指紋を撮影する際に前記フロントライト部を移動させて前記指当て部材を照明するように構成したことを特徴とする請求項１９に記載の携帯電子機器。
【請求項２１】
前記指当て部材を照明するための発光部と、前記指当て部材に前記発光部からの光を導くライトガイドと、を具備することを特徴とする請求項１９または２０に記載の携帯電子機器。
【請求項２２】
前記表示部の表示向きが上下左右に可変であり、前記指当て部材を読み取り対象部の上に置いて前記読み取り対象部の画像を前記表示部に表示する際に前記表示向きを読み取り易いように変えることができるように構成したことを特徴とするた請求項１９，２０または２１に記載の携帯電子機器。
【発明の詳細な説明】
【０００１】
【発明の属する技術分野】
本発明は、レンズと撮像素子とを有し指紋撮影・照合機能を備えるカメラユニット及びこのカメラユニットを備える携帯電話等の携帯電子機器に関するものである。
【０００２】
【従来の技術】
最近、カメラ機能の付いた携帯電話機が実用化されてきており、画像を送受信しながら電話の利用が可能となっている。かかる携帯電話機はカメラ機能としてレンズ及びＣＣＤ等の撮像素子を備え、液晶画面に撮影画像を表示しながらカメラ撮影が可能である。一方、携帯電話機は、電話番号や通信記録等の個人情報が記憶されているためにこれらの情報に対するセキュリティや他人の無断使用の禁止が要求される場合がある。また、電子スチルカメラにおいても同様に無断使用や撮影画像等に関しセキュリティが要求されることがある。
【０００３】
【発明が解決しようとする課題】
本発明は、上述のような従来技術の問題に鑑み、使用の制限及び記録情報の保護を簡単な構成で可能とするカメラユニット及び携帯電話機等の携帯電子機器を提供することを目的とする。
【０００４】
【課題を解決するための手段】
上記目的を達成するために、本発明によるカメラユニットは、レンズ部と撮像素子とを有し、カメラ筐体内に収納可能であり移動させたときに使用者の指を当てることのできる指当て部材と、前記指当て部材に当てられた指の指紋を前記レンズ部と前記撮像素子とにより撮影し、その撮影画像に基づいて前記指紋が登録された指紋と同じであるか否かを照合する指紋照合部と、を具備し、前記指紋照合部で前記指紋が前記登録指紋と同じであるとされたときに制限機能が使用可能となることを特徴とする。
【０００５】
このカメラユニットによれば、指当て部材に当てた指の指紋をカメラで撮影し、撮影された指紋を登録された指紋と照合することにより本人であるか否かの判断を行い、本人であると判断された場合に、例えば電源機能、カメラ撮影機能または撮影画像再生機能などの制限された機能が使用できるようになるから、簡単な構成で他人の無断使用を制限できるとともに撮影画像情報を保護することができる。
【０００６】
この場合、前記指当て部材を移動させたときに前記レンズ部が連動し前記指当て部材に焦点が合うように構成されていることが好ましい。また、カメラ使用時にレンズ部が被写体側の別の方向に向いていいる場合、前記指当て部材を移動させたときに前記レンズ部が連動し前記指当て部材側を向くように構成されていることが好ましい。
【０００７】
また、前記指当て部材の少なくとも指が当たる部分は光透過性板から構成されていることが好ましく、また、前記指当て部材の指が当たる部分に開口を形成してもよい。
【０００８】
また、撮影画像を表示可能でありその表示向きが上下左右に可変である表示部を更に具備し、前記指当て部材を読み取り対象部の上に置いて前記読み取り対象部の画像を前記表示部に表示する際に前記表示向きを読み取り易いように変えることができるように構成することにより、本発明のカメラユニットを本や書類等の読み取りに応用でき、また拡大鏡として用いることができる。
【０００９】
また、本発明による他のカメラユニットは、レンズ部と撮像素子と撮影画像を表示可能な表示部とを有し、カメラ筐体内に収納可能であり移動させたときに使用者の指を当てることのできる光透過性の指当て部材と、前記指当て部材に当てられた指の指紋を照明しながら前記レンズ部と前記撮像素子とにより撮影し、その撮影画像に基づいて前記指紋が登録された指紋と同じであるか否かを照合する指紋照合部と、を具備し、前記指紋照合部で前記指紋が前記登録指紋と同じであるとされたときに制限機能が使用可能となることを特徴とする。
【００１０】
このカメラユニットによれば、指当て部材に当てた指の指紋をカメラで撮影し、撮影された指紋を登録された指紋と照合することにより本人であるか否かの判断を行い、本人であると判断された場合に、例えば電源機能、カメラ撮影機能または撮影画像再生機能などの制限された機能が使用できるようになるから、簡単な構成で他人の無断使用を制限できるとともに撮影画像情報を保護することができる。このとき、指紋の撮影を照明しながら行うので、撮影画像が鮮明となり一層精度よく指紋の画像を撮ることができる。
【００１１】
この場合、前記表示部が移動可能なフロントライト部を有し、前記指当て部材に当てられた指の指紋を撮影する際に前記フロントライト部を移動させて前記指当て部材を照明するように構成することが好ましい。また、前記指当て部材を照明するための発光部と、前記光透過性の指当て部材に前記発光部からの光を導くライトガイドと、を更に具備することが好ましい。
【００１２】
また、前記表示部の表示向きが上下左右に可変であり、前記指当て部材を読み取り対象部の上に置いて前記読み取り対象部の画像を前記表示部に表示する際に前記表示向きを読み取り易いように変えることができるように構成することにより、本発明のカメラユニットを本や書類等の読み取りに応用でき、また拡大鏡として用いることができる。このとき、読み取り対象部を照明することができるから、読み取りが楽になる。
【００１３】
また、本発明による携帯電子機器は、レンズ部と撮像素子とを有しカメラ機能を備え、筐体に対して出し入れ可能であり移動させたときに使用者の指を当てることのできる指当て部材と、前記指当て部材に当てられた指の指紋を前記レンズ部と前記撮像素子とにより撮影し、その撮影画像に基づいて前記指紋が登録された指紋と同じであるか否かを照合する指紋照合部と、を具備し、前記指紋照合部で前記指紋が前記登録指紋と同じであるとされたときに制限機能が使用可能となることを特徴とする。
【００１４】
この携帯電子機器によれば、指当て部材に当てた指の指紋をレンズ部と撮像素子とで撮影し、撮影された指紋を登録された指紋と照合することにより本人であるか否かの判断を行い、本人であると判断された場合に、例えば電源機能、カメラ撮影機能、撮影画像再生機能、通信機能、記録情報または決済機能などの制限された機能が使用できるようになるから、簡単な構成で他人の無断使用を制限できるとともに各種の情報を保護することができる。
【００１５】
この場合、前記指当て部材を移動させたときに前記レンズ部が連動し前記指当て部材に焦点が合うように構成されていることが好ましい。また、前記指当て部材を移動させたときに前記レンズ部が連動し前記指当て部材側を向くように構成されていることが好ましい。
【００１６】
また、前記指当て部材の少なくとも指が当たる部分は光透過性板から構成されていることが好ましく、また、前記指当て部材の指が当たる部分に開口を形成してもよい。
【００１７】
また、撮影画像を表示可能でありその表示向きが上下左右に可変である表示部を更に具備し、前記指当て部材を読み取り対象部の上に置いて前記読み取り対象部の画像を前記表示部に表示する際に前記表示向きを読み取り易いように変えることができるように構成することにより、本発明の携帯電子機器を本や書類等の読み取りに応用でき、また拡大鏡として用いることができる。
【００１８】
また、本発明による他の携帯電子機は、レンズ部と撮像素子と撮影画像を表示可能な表示部とを有しカメラ機能を備え、筐体内に収納可能であり移動させたときに使用者の指を当てることのできる光透過性の指当て部材と、前記指当て部材に当てられた指の指紋を照明しながら前記レンズ部と前記撮像素子とにより撮影し、その撮影画像に基づいて前記指紋が登録された指紋と同じであるか否かを照合する指紋照合部と、を具備し、前記指紋照合部で前記指紋が前記登録指紋と同じであるとされたときに制限機能が使用可能となることを特徴とする。
【００１９】
この携帯電子機器によれば、指当て部材に当てた指の指紋をレンズ部と撮像素子とで撮影し、撮影された指紋を登録された指紋と照合することにより本人であるか否かの判断を行い、本人であると判断された場合に、例えば電源機能、カメラ撮影機能、撮影画像再生機能、通信機能、記録情報再生機能または決済機能などの制限された機能が使用できるようになるから、簡単な構成で他人の無断使用を制限できるとともに各種の情報を保護することができる。このとき、指紋の撮影を照明しながら行うので、撮影画像が鮮明となり一層精度よく指紋の画像を撮ることができる。
【００２０】
この場合、前記表示部が移動可能なフロントライト部を有し、前記指当て部材に当てられた指の指紋を撮影する際に前記フロントライト部を移動させて前記指当て部材を照明するように構成することが好ましい。また、前記指当て部材を照明するための発光部と、前記光透過性の指当て部材に前記発光部からの光を導くライトガイドと、を具備することが好ましい。
【００２１】
また、前記表示部の表示向きが上下左右に可変であり、前記指当て部材を読み取り対象部の上に置いて前記読み取り対象部の画像を前記表示部に表示する際に前記表示向きを読み取り易いように変えることができるように構成することにより、本発明の携帯電子機器を本や書類等の読み取りに応用でき、また拡大鏡として用いることができる。このとき、読み取り対象部を照明することができるから、読み取りが楽になる。
【００２２】
【発明の実施の形態】
以下、本発明による第１，第２及び第３の実施の形態について図面を用いて説明する。
【００２３】
〈第１の実施の形態〉
【００２４】
図１〜図４は第１の実施の形態のカメラ機能を有する携帯電話機を示す図であって、図１は携帯電話機の斜視図であり、図２は指当て部材を引き出した状態を示す携帯電話機の斜視図であり、図３は指当て部材とレンズ部との連動機構を概略的に示す斜視図（ａ）及びレンズ部の焦点合わせを説明するための図（ｂ）、（ｃ）であり、図４は携帯電話機の主要部分のブロック図である。
【００２５】
図１，図２に示すように、携帯電子機器としての携帯電話機１０は、筐体１１の表面に設けられた各種画像情報を表示可能な液晶表示部１２と、筐体１１の上端面１１ａから突き出て回転可能でありカメラ機能を構成するレンズ部１３と、筐体１１の側面１１ｂで筐体１１内に収納可能でありかつ溝１１ｃに沿ってスライドして引き出し可能であるとともに使用者の指を当てるための光透過性部材からなる指当て部材１４とを備えている。
【００２６】
図３に示すように、携帯電話機１０の筐体１１内には、指当て部材１４の移動に連動してレンズ部１３をカメラ撮影位置（図１）と指紋撮影位置（図２）との間を回動させかつレンズ部１３が図２の指紋撮影位置にあるときにその焦点を指当て部材１４に合わせるための連動機構が設けられている。この連動機構は、図３（ａ）のように、指当て部材１４に連結されたカム棒１７が係合するカム溝１５ａを周面に形成した回転カム部１５を備え、回転カム部１５は回転軸１６によりレンズ部１３に連結されている。指当て部材１４を上下方向ＦまたはＦ’に移動させると、カム棒１７のカム溝１５ａでの上下方向の移動により回転カム部１５が回転軸１６を中心に回動し、これによりレンズ部１３が回転軸１６を中心に回動方向ＲまたはＲ’に回動するようになっている。
【００２７】
また、図３（ｂ）、（ｃ）に示すように、レンズ部１３は、レンズ１３ａ，１３ｂ，１３ｃ及び合焦センサ１９を備え、レンズ１３ａと１３ｂは保持鏡筒１３ｄにより光軸ｐ方向に一体に移動可能になっている。また、図３（ｃ）に示すように、爪１８がレンズ部１３内で筐体１１側に固定して配置されており、レンズ部１３の移動時にレンズ１３ａと１３ｂが一体に爪１８によりレンズ１３ｄに対し移動してレンズ部１３が接写用になり、合焦センサ１９で焦点が合ったことを確認できるようになっている。
【００２８】
図４に示すように、携帯電話機１０は、レンズ部１３とともにカメラ機能を構成するＣＣＤ等からなる撮像素子２０と、指当て部材１４に指を当てたときに撮像素子２０からの指紋の画像信号について所定の画像処理をする画像処理部２１と、予め使用者本人の指紋を画像処理部２１で画像処理してその指紋画像を登録のため記憶する登録指紋記録部２３と、画像処理部２１で画像処理した指紋画像と登録指紋記録部２３に登録された使用者本人の指紋画像とが一致するか否かを判定する判定部２２と、判定部２２での判定において本人の指紋画像と一致したときに、制限されていた機能を解除するための制限解除指示部２４とを備える。画像処理部２１と判定部２２とにより指紋照合部を構成している。
【００２９】
また、図４の携帯電話機１０は、撮像素子２０からの画像信号を液晶表示部１２に表示可能であるが、その表示の向きを上下左右に変える制御を行う液晶表示制御部２５を備える。
【００３０】
また、制限解除指示部２４は、判定部２２で本人の指紋画像であると判定したとき、電源スイッチ２６のＯＮを継続するようになっている。また、携帯電話機１０の電源スイッチ２６をＯＦＦにした後（一定時間不使用のためにオートＯＦＦ機能でＯＦＦとなった場合も含む）、ＯＮにしたとき、判定部２２で一定時間内に指紋の判定を行わない場合及び本人の指紋画像でないと判定した場合に、制限解除指示部２４の指示により電源スイッチ２６が自動的にＯＦＦになるようになっている。なお、本人の指紋画像であると判定したとき制限解除指示部２４の指示により、携帯電話機１０のカメラ撮影機能、撮影画像再生機能、通信機能または記録情報再生機能が使用可能になるようにしてもよく、また電子取引の決済機能を使用できるようにしてもよい。
【００３１】
以上の図１〜図４に示す携帯電話機１０の使用について説明する。電源スイッチ２６をＯＮにし、筐体１１の側面１１ｂで指当て部材１４を図２、図３の方向Ｆに引き出して移動させると、図３のように、指当て部材１４に連結したカム棒１７が方向Ｆに回転カム部１５のカム溝１５ａ内で移動し、この移動に伴い回転カム部１５が回動方向Ｒに回動することにより、レンズ部１３が回動し図１のカメラ撮影位置から図２の指紋撮影位置に移動するとともに、この回動中に爪１８によりレンズ１３ａと１３ｂとが移動してレンズ部１３が指紋撮影のための接写撮影可能状態となる。この状態で図２の指当て部材１４の円形状の凹部１４ａに指を当てると、自動的に撮影が行われ撮像素子２０からの画像信号が画像処理部２１で画像処理されてその指紋画像が登録指紋記憶部２３に記憶された使用者本人のものと一致するか否かを判定部２２で判定する。指紋画像が使用者本人のものと一致すると判定された場合には、制限解除指示部２４の指示により、携帯電話機１０をそのまま使用でき、また、指紋画像が使用者本人のものと一致しないと判定された場合には携帯電話機１０の電源スイッチ２６が自動的にＯＦＦする。このようにして、携帯電話機１０の他人による無断使用を防止でき、また、携帯電話機１０に記憶された電話番号や通信記録等の個人情報やカメラ機能により撮影した撮影情報等のセキュリティを確保することができる。
【００３２】
なお、上述の指紋照合が終了したら、指当て部材１４を図２の方向Ｆ’にスライドさせると、レンズ部１３は上述と逆の動作をして光軸ｐが図１の方向を向いてカメラ撮影位置に戻り、指当て部材１４は筐体１１内に収納される。
【００３３】
次に、図５により、図１〜図４の携帯電話機１０の使用に際しての応用例を説明する。図５の例は、携帯電話機１０の側面１１ｂを下にして、指当て部材１４を読み難い本や新聞等の上に当てその文字を拡大して液晶表示部１２に表示するようにしたものである。この際、液晶表示部１２の表示向きは図４の液晶表示制御部２５により使用者の読み易い表示向きに上下左右に変えることができる。これにより、図１〜図４の携帯電話機１０の指紋照合機能を応用して拡大鏡として用いることができ、便利である。また、指当て部材１４に向けて照明光を当てるようにすると、一層読み取り易くなり、好ましい。
【００３４】
〈第２の実施の形態〉
【００３５】
図６、図７は第２の実施の形態のカメラ機能を有する携帯電話機を示す図であって、図６は携帯電話機の斜視図（ａ）、指当て部材に指を当て指紋撮影を行う動作を示す携帯電話機の斜視図（ｂ）及び指当て部材のカバーをスライドさせた状態を示す携帯電話機の斜視図（ｃ）である。図７は図６の携帯電話機の合焦のための連動機構を概略的に示す斜視図である。また、図６，図７の携帯電話機の主要部分のブロック図は、図４と同様であるので、同一部分には同じ符号を付けてその説明を省略する。
【００３６】
図６（ａ）〜（ｃ）に示すように、携帯電子機器としての携帯電話機３０は、カメラ機構を構成するレンズ部３３を筐体３１に内蔵している。筐体３１の側面３１ｂの上部には矩形状の孔部３１ａが設けられ、この孔３１ａに筐体３１内でスライド可能に光透過性部材からなる指当て部材３４が設けられている。
【００３７】
図７に示すように、合焦のための連動機構は、指当て部材３４の内面側の側部にカム部３５を備え、カム部３５にはカム溝３５ａが形成されている。カム溝３５ａ内に係合したカム棒３６は指当て部材３４の上下方向Ｆ、Ｆ’への移動によりレンズ部３３を前進方向ｍ、後退方向ｍ’へと移動させるようになっている。レンズ部３３は指紋撮影時に前進方向ｍに合焦のために移動し、合焦センサ３９で焦点が合ったことを確認できる。また、筐体３１の側面３１ｂの孔３１ａの上部にはリミットスイッチ３８が設けられ、指当て部材３４を孔３１ａ内で上部にスライドさせたとき、指当て部材３４の上端面３４ａが当接してリミットスイッチ３８がＯＮし指紋撮影が可能となるように構成されている。また、指当て部材３４の内面には段部３４ｂが形成され、筐体３１側の係止部３７と当接するようになっている。指紋画像が使用者本人のものと一致すると、係止部３７は、図４の制限解除指示部２４の指示に基づいて下方向Ｆ’に移動可能状態となり、指当て部材３４が下方向Ｆ’に移動でき、カメラ部３３によるカメラ撮影が可能となる。また、指紋画像が使用者本人のものと一致しないと、係止部３７は下方向Ｆ’に移動できない状態となり、指当て部材３４が段部３４ｂで係止部３７に当接し、下方向Ｆ’に移動できずにカメラ部３３によるカメラ撮影ができないようになっている。
【００３８】
図６、図７の携帯電話機３０の使用について説明する。筐体３１の側面３１ｂの指当て部材３４を図７のように上方に方向Ｆにスライドさせると、カム溝３５ａ内のカム棒３６がレンズ部３３を方向ｍに前進させ、指当て部材３４に焦点が合うとともに、上端面３４ａがリミットスイッチ３８に当接すると、指紋撮影が可能の状態となる。この状態で、図６（ｂ）のように指Ｇを指当て部材３４の当てることにより、指紋撮影が行われ、図４で説明したように、指紋画像が使用者本人のものと一致すると判定された場合には、制限解除指示部２４の指示により、携帯電話機３０を使用でき、同時に係止部３７のストッパ機能を解除し指当て部材３４が筐体３１内に収納され、レンズ部３３によるカメラ撮影が可能となる。また、指紋画像が使用者本人のものと一致しないと判定された場合には携帯電話機３０の通信機能や情報再生機能や電子取引の決済機能等の使用ができなくなり、同時に係止部３７のストッパ機能が解除されないので、指当て部材３４が移動できずにレンズ部３３によるカメラ撮影ができない。このようにして、携帯電話機１０の他人による無断使用を防止でき、また、携帯電話機１０に記憶された電話番号や通信記録等の個人情報やカメラ機能により撮影した撮影情報等のセキュリティを確保することができる。この場合、図６（ｄ）のように、指紋の照明のために、液晶表示部１２を照明する発光素子４８から光をライトガイド４９により指当て部材３４に導くようにしてもよい。
【００３９】
〈第３の実施の形態〉
【００４０】
図８、図９及び図１０は第３の実施の形態のカメラ機能を有する携帯電話機を示す図であって、図８は携帯電話機の斜視図であり、図９は指紋撮影を行う状態の携帯電話機の斜視図であり、図１０はフロントライト部の構成を示す要部斜視図である。図８，図９の携帯電話機の主要部分のブロック図は、図４と同様であるので、同一部分には同じ符号を付けてその説明を省略する。
【００４１】
図８，図９に示すように、携帯電子機器としての携帯電話機４０は、液晶表示部１２の周囲に液晶表示部１２を照明するために中央に矩形状の開口を持つフロントライト部１２ａが配置されており、フロントライト部１２ａの前面には光透過性部材からなるカバー部材１２ｂが貼り付けられている。筐体４１の上部には段部４２が形成され、段部４２の上方の平面部４１ａにはカメラ機能を構成するレンズ部４３が設けられている。フロントライト部１２ａはカバー部材１２ｂとともに図８の方向ｆにスライドし図９のように段部４２から突き出てレンズ部４３の上方に位置するようになっている。レンズ部４３はフロントライト部１２ａの移動とともにカバー部材１２ｂに焦点が合い、指を当てたときに指に焦点が合うようになっている。
【００４２】
図１０に示すように、フロントライト部１２ａの開口両側の端面１２ｃ側にライトガイド４５が設けられており、端面１２ｄに対向して発光素子４４が配置されている。発光素子４４からの光が端面１２ｄから入射すると、ライトガイド３５にガイドされて開口両側端面１２ｃから光が出射してフロントライト部１２ａの開口内を照明する。
【００４３】
図９のようにフロントライト部１２ａ及びカバー部材１２ｂが引き出された状態で、カバー部材１２ｂに指を当てて指紋撮影を行う際にフロントライト部１２ａからの照明光により指を照明するので、撮影画像がより鮮明になり指紋の読み取り精度が一層向上し、好ましい。図８，図９に示す携帯電話機４０によれば、上述の携帯電話機１０，３０と同様の効果を得ることができ、携帯電話機４０の他人による無断使用を防止でき、また、携帯電話機４０に記憶された電話番号や通信記録等の個人情報やカメラ機能により撮影した撮影情報等のセキュリティを確保することができる。
【００４４】
以上のように本発明を実施の形態により説明したが、本発明はこれらに限定されるものではなく、本発明の技術的思想の範囲内で各種の変形が可能である。例えば、本実施の形態では携帯電話機により説明したが、レンズ部と撮像素子とを備えたカメラユニットであってもよく、携帯電話機の場合と同様の効果を得ることができる。また、携帯電子機器は、携帯電話機に限定されず他の機器であってもよく、例えばカメラ機能を備えた携帯電子手帳であってもよい。
【００４５】
また、登録指紋は次のような記憶手段に登録することができる。（１）本体内のメモリ、（２）本体に着脱可能なメモリ、（３）ネットワーク上のサーバ（通信により登録し、確認する）。（３）の場合、通信圏外のときには、決済機能以外の制限を解除等することにより、認証による制限解除のレベルを変えるようにしてもよい。
【００４６】
また、指紋検出機能の応用例として、（１）拡大鏡としての利用（図５参照）、（２）パターン解析機能を備えることにより、新聞や書籍等の文字の取り込みや読み上げ等の機能を付加する、等が考えられ、本発明の応用が可能である。
【００４７】
【発明の効果】
本発明によれば、他人の無断な使用を制限しかつ記録された情報を保護することが簡単な構成で可能となるカメラユニット及び携帯電話機等の携帯電子機器を提供できる。
【図面の簡単な説明】
【図１】第１の実施の形態による携帯電話機の斜視図である。
【図２】図１において指当て部材を引き出した状態を示す携帯電話機の斜視図である。
【図３】図１の携帯電話機における指当て部材とレンズ部との連動機構を概略的に示す斜視図（ａ）、レンズ部の構成を示す図（ｂ）及びレンズ部の焦点合わせを説明するための図（ｃ）である。
【図４】図１の携帯電話機の主要部分のブロック図である。
【図５】図１の携帯電話機の他の使用応用例を示す斜視図である。
【図６】第２の実施の形態による携帯電話機の斜視図（ａ）、指当て部材に指を当て指紋撮影を行う動作を示す携帯電話機の斜視図（ｂ）及び指当て部材のカバーをスライドさせた状態を示す携帯電話機の斜視図（ｃ）である。
【図７】図６の携帯電話機の焦点合わせのための連動機構を概略的に示す斜視図である。
【図８】第３の実施の形態の携帯電話機の斜視図である。
【図９】指紋撮影を行う状態である図８の携帯電話機の斜視図である。
【図１０】図８のフロントライト部の構成を示す要部斜視図である。
【符号の説明】
１０，３０，４０        携帯電話機（携帯電子機器）
１１，３１，４１        筐体
１２                    液晶表示部
１２ａ                  フロントライト部
１２ｂ                  カバー部材（指当て部材）
１３，３３，４３        レンズ部
１４，３４              指当て部材
１５                    回転カム部
２０                    撮像素子、ＣＣＤ
２１                    画像処理部（指紋照合部）
２２                    判定部（指紋照合部）
２４                    制限解除指示部
２６                    電源スイッチ
３５                    カム部
【図１】
0003867484.tif 000002
【図２】
0003867484.tif 000003
【図３】
0003867484.tif 000004
【図４】
0003867484.tif 000005
【図５】
0003867484.tif 000006
【図６】
0003867484.tif 000007
【図７】
0003867484.tif 000008
【図８】
0003867484.tif 000009
【図９】
0003867484.tif 000010
【図１０】
0003867484.tif 000011